(57)【特許請求の範囲】
【請求項１】
電子マネー搭載の記録媒体と、複数ブランドの電子マネー決済サービスを選択するブランド選択手段と、前記記録媒体がアンテナ部にかざされた場合、前記ブランド選択手段にて選択されたブランドの電子マネー決済サービスを利用して決済処理を行う電子マネー決済制御部と、商品選択後、前記該電子マネー決済制御部にて決済が完了したことにより機内に収容された商品を販売する主制御部とを備えてなる自動販売機において、前記ブランド選択手段にスクロールボタンを備えるとともに、表示部を備える電子マネー操作表示部を備え、先に商品選択が行われると、前記電子マネー決済制御部は、前記スクロールボタンを表示し、このスクロールボタンの操作にて電子マネー決済サービスの複数ブランドを前記表示部に順次スクロール表示させ、決済したいブランドが前記表示部に表示されたときに前記アンテナ部に前記記録媒体がかざされると決済処理し、一方、商品選択前に、前記スクロールボタンが操作されると、前記電子マネー決済制御部は、電子マネー決済サービスの複数ブランドを前記表示部に順次スクロール表示させ、残高表示させたい電子マネー決済サービスのブランドが前記表示部に表示されたときに前記アンテナ部に前記記録媒体がかざされると残高を表示することを特徴とする自動販売機。
【請求項２】
請求項１記載の自動販売機において、商品選択前に、前記アンテナ部に前記記録媒体がかざされると、前記電子マネー決済制御部は、前記記録媒体に搭載されている電子マネー決済サービスのブランドを読み出し、このブランドが複数ブランド搭載の場合には前記スクロールボタンの操作に関係なく、前記表示部に少なくともブランド名をスクロール表示することを特徴とする自動販売機。
【請求項３】
請求項１または２に記載の自動販売機において、前記ブランド選択手段に決定ボタンおよび取消ボタンを備え、前記電子マネー決済制御部は、電子マネー決済サービスの複数ブランドを前記表示部に順次スクロール表示させ、決済したいブランドが前記表示部に表示されたときに前記決定ボタンが操作されると、選択ブランドを確定するとともに、選択ブランド確定後、前記記録媒体が前記アンテナ部にかざされるまでに前記取消ボタンが操作されると、選択されたブランドを取消すことを特徴とする自動販売機。
【発明の詳細な説明】
【技術分野】
【０００１】
本発明は、例えば、ＩＣカード等の記録媒体に記憶された複数の電子マネーブランドによる電子マネー決済サービスとの間で決済処理を実施する自動販売機に関する。
【背景技術】
【０００２】
近年、複数の電子マネーブランドの決済サービス情報が記録された記録媒体（ＩＣカード、携帯電話等）が普及しており、決済時に用いる電子マネー決済サービスを複数ブランドの中からテンキーにより電子マネー決済サービスを選択して、選択された電子マネー決済サービスにかかる情報を記録媒体から読み出して決済処理を実施する決済端末機器が知られている（例えば、特許文献１参照）。
また、自動販売機において、電子情報選択手段を備え、決済時に用いる電子マネー決済サービスを複数ブランドの中から電子情報選択手段により電子マネー決済サービスを選択して、選択された電子マネー決済サービスにかかる情報を記録媒体から読み出して決済処理を実施する自動販売機が知られている（例えば、特許文献２参照）。
【特許文献１】特開２００６−３０１７８０号公報
【特許文献２】特開２００７−１０２３１７号公報
【発明の開示】
【発明が解決しようとする課題】
【０００３】
上記のように、決済機器側が複数ブランドの電子マネー決済サービスに対応可能な場合、どのブランドの電子マネー決済サービスを利用するかをテンキーで選択する必要があるため、テンキー分のスペースが必要となり、ブランド数が増えた場合には、操作が判り難くなるという課題がある。
また、特許文献２の自動販売機における電子情報選択手段のようなブランド毎の専用ボタンの場合には操作は判り易いが、ブランド数が増えてくると、ボタンの追加が難しく、仮に追加したとしても、スペースが多く必要となり、限られたスペースの中では問題である。
本発明は、上記課題に鑑みて、複数の電子マネーブランドにおける電子マネー決済サービスの中から一つのブランドを選択する際、容易に選択可能な自動販売機を提供することを目的とする。
【課題を解決するための手段】
【０００４】
上記目的を達成するため、本発明の自動販売機は、電子マネー搭載の記録媒体と、複数ブランドの電子マネー決済サービスを選択するブランド選択手段と、前記記録媒体がアンテナ部にかざされた場合、前記ブランド選択手段にて選択されたブランドの電子マネー決済サービスを利用して決済処理を行う電子マネー決済制御部と、商品選択後、前記該電子マネー決済制御部にて決済が完了したことにより機内に収容された商品を販売する主制御部とを備えてなる自動販売機において、前記ブランド選択手段にスクロールボタンを備えるとともに、表示部を備える電子マネー操作表示部を備え、先に商品選択が行われると、前記電子マネー決済制御部は、前記スクロールボタンを表示し、このスクロールボタンの操作にて電子マネー決済サービスの複数ブランドを前記表示部に順次スクロール表示させ、決済したいブランドが前記表示部に表示されたときに前記アンテナ部に前記記録媒体がかざされると決済処理し、一方、商品選択前に、前記スクロールボタンが操作されると、前記電子マネー決済制御部は、電子マネー決済サービスの複数ブランドを前記表示部に順次スクロール表示させ、残高表示させたい電子マネー決済サービスのブランドが前記表示部に表示されたときに前記アンテナ部に前記記録媒体がかざされると残高を表示することを特徴とする。
上記自動販売機において、商品選択前に、前記アンテナ部に前記記録媒体がかざされると、前記電子マネー決済制御部は、前記記録媒体に搭載されている電子マネー決済サービスのブランドを読み出し、このブランドが複数ブランド搭載の場合には前記スクロールボタンの操作に関係なく、前記表示部に少なくともブランド名をスクロール表示することを特徴とする。
【０００５】
また、上記自動販売機において、前記ブランド選択手段に決定ボタンおよび取消ボタンを備え、前記電子マネー決済制御部は、電子マネー決済サービスの複数ブランドを前記表示部に順次スクロール表示させ、決済したいブランドが前記表示部に表示されたときに前記決定ボタンが操作されると、選択ブランドを確定するとともに、選択ブランド確定後、前記記録媒体が前記アンテナ部にかざされるまでに前記取消ボタンが操作されると、選択されたブランドを取消すことを特徴とする。
【発明の効果】
【０００６】
本発明における複数ブランドの電子マネー決済サービス搭載の自動販売機によれば、表示部と、ブランド選択手段にはスクロールボタンを備え、電子マネー決済制御部は、スクロールボタンの操作にてブランドを表示部に表示させ、そのブランドが表示部に表示されたときに前記アンテナ部に前記記録媒体がかざされると決済処理することにより、決済時における電子マネー選択部の操作を簡略化するとともに、省スペース化を図ったものである。
また、残高表示もスクロールによる選択にて行えることにより、残高照会も容易となる。
さらに、残高表示後にそのまま商品選択を行えるようにし、その際の決済処理についてもスクロール表示を用いて、容易に処理可能となる。
またさらに、記録媒体に搭載されている複数ブランドの電子マネー決済サービスを全て読み出し、スクロール表示することにより、搭載されているブランドが容易に確認でき、しかも、その表示を選択することで、ブランドを決定できるものであり、操作性が一段と向上する。
【発明を実施するための最良の形態】
【０００７】
以下に添付図面を参照しながら、本発明に係る自動販売機の好適な実施の形態について詳細に説明する。
図２は、本発明の実施の形態における自動販売機を模式的に示した正面図である。ここに例示する自動販売機は、缶入り飲料やペットボトル入り飲料等の商品を販売するためのものである。
図２において、自動販売機２０１は、前面が開口した直方状の断熱筐体として形成したものであり、その内部には、図示しない複数のコラムが収納されている。
上記自動販売機２０１の前面には、商品見本２０２ａを内部に展示する展示室２０２、硬貨投入口２０３、貨幣返却レバー２０４、紙幣挿入口２０５、入金額などを表示する一体表示器２０６、硬貨返却口２０７、商品取出口２０８、商品選択ボタン２０９、電子マネー操作表示部１０１が設けられている。
電子マネー操作表示部１０１は、表示部１０２、アンテナ部１０３、電子マネー選択部１０４からなる。
表示部１０２は、決済金額、利用者応答などを表示するものであるが、自動販売機２０１の一体表示器２０６と兼用してもよい。
【０００８】
アンテナ部１０３は、所定のアクセス領域（通信可能領域）に電子マネーカードＭＣが配置された場合に、電子マネーカードＭＣのＩＣチップに対して情報の読み書きが可能になるとともに、後述する電子マネー決済制御部１００に対して情報の送受信を行うことが可能になるものである。このアンテナ部１０３は、電子マネーカードＭＣが所定のアクセス領域に配置されると、電子マネーカードＭＣが保持された旨を信号として後述する電子マネー決済制御部１００に出力するものである。また、アンテナ部１０３は、図には明示しないが表示機構を内蔵しており、読取可能状態になる場合にＬＥＤを点滅させ、電子マネーカードＭＣが所定のアクセス領域に配置されると、点灯させるものである。
電子マネー選択部１０４は、図３に示すように、スクロールボタン１０４ａ、決定ボタン１０４ｂ、取消ボタン１０４ｃからなり、適用対象となるブランドの電子マネー決済サービスであるＡマネー、Ｂマネー、Ｃマネーを表示部１０２に順次表示可能なようにスクロールボタン１０４ａによりスクロール可能であり、
一組のスクロールボタン１０４ａを備えることで、逆方向にもスクロール可能となる。次に、決定ボタン１０４ｂを操作することにより使用する電子マネーのブランドが決定し、電子マネーカードＭＣがかざされる前であれば、取消ボタン１０４ｃの操作を有効とし、決定ボタン１０４ｂにより決定した電子マネーのブランドによる決済を取消し、再度、スクロールボタン１０４ａの操作を可能とする。なお、各ボタンには、図には明示しないＬＥＤを内蔵し、操作に応じて点灯、点滅させて、利用者の操作性を向上させるものである。
【０００９】
次に、図１は、自販機主制御部２００と電子マネー決済制御部１００との制御系を示すブロック図であり、その構成について以下に説明する。
まず、自動販売機の固有機能を制御する自販機主制御部２００は、予め格納されたプログラムメモリ２ａ、設定データおよび売上データを記憶するメモリ２ｂを備え、自動販売機の基本動作、例えば商品選択、金銭処理、商品搬出および設定集計機能等の各動作の統括的な制御を行うものであり、コインメック２１１、紙幣識別機２１２、商品搬出装置２１３、一体表示器２０６、商品選択ボタン２０９、リモコン２１０などが接続されている。
電子マネー決済制御部１００は、電子マネー決済サービス毎に決済制御部１００Ａ，１００Ｂ，１００Ｃを備え、図示しない予めメモリに記録されたプログラムやデータ、後述する自販機主制御部２００から与えられた指令や情報に従って、電子決済処理の統括的な制御を行うもので、また、上位センタである電子マネー管理サーバと開局／閉局に関する通信処理を行うものであり、開局処理にて、自動販売機における電子マネー決済サービスが使用可能となるものである。
この電子マネー決済制御部１００には、電子マネー操作表示部１０１が接続されており、決済端末としての機能を果たす。
【００１０】
次に、図６は、電子マネー決済サービスの処理制御を示すシーケンス図であり、初期設定の処理手順について説明する。
まず、自動販売機２０１の電源立上げ後（ＳＱ１）、電子マネー決済制御部１００から電子マネー管理サーバへ開局要求を送信すると（ＳＱ２）、電子マネー管理サーバは正当な端末であることを確認し、電子マネー管理サーバから鍵情報などを電子マネー決済制御部１００に送信して開局状態となる（ＳＱ３）。
ここでまず、自動販売機２０１の自販機主制御部２００は、自動販売機側で対応可能な電子マネーブランドの電子マネー決済サービスの集計テーブルが「３」であることを電子マネー決済制御部１００に送信する（ＳＱ４）。
この状態を受けて、電子マネー決済制御部１００は、利用可能な３種類の電子マネーブランド（Ａマネー、Ｂマネー、Ｃマネー）の電子マネー決済サービス毎に割り付けられた管理番号（例：１，２，３）と管理番号に対応したブランド情報とを自販機主制御部２００に送信する（ＳＱ５）。
自動販売機主制御部２００では、この３種類の電子マネーブランド（Ａマネー、Ｂマネー、Ｃマネー）の電子マネー決済サービスを管理番号（１，２，３）と管理番号に対応したブランド情報（Ａマネー、Ｂマネー、Ｃマネー）とともに、メモリ２ｂの集計テーブルＡ，Ｂ，Ｃに割り当てる（ＳＱ６）。
【００１１】
メモリ２ｂの集計テーブルに正常に割り当てが完了すると、正常完了として、自販機主制御部２００から電子マネー決済制御部１００に対し、電子マネーカードＭＣの受付可を送信する（ＳＱ７）。
次に、本実施の形態における電子マネーを用いた販売処理について、図７の決済処理シーケンス図を用いて説明する。
ここで、販売待機状態となっている自動販売機２０１において、利用者により商品選択ボタン２０９が押されると、自販機主制御部２００に商品選択信号が出力される（ＳＱ１１）。
自販機主制御部２００では、電子マネー決済制御部１００に対し、選択商品データとして商品選択情報とともに現金価格、電子マネー決済サービス毎の決済価格を全て送信し（Ｓ１２）、選択された商品選択ボタン２０９のみ点灯状態を保ち、一体表示器２０６には現金価格を表示させる（ＳＱ１３）。
一方、電子マネー決済制御部１００では、利用者に対して決済する電子マネー決済サービスを選択下さいとの表示を表示部１０２にて表示するとともに、電子マネー選択部１０４のスクロールボタン１０４ａを点滅させ、電子マネー決済サービスの選択が有効であることを利用者に報知する（ＳＱ１４）。
【００１２】
次に、スクロールボタン１０４ａを操作して利用者がブランドを選択することになるが、スクロールボタン１０４ａを操作する毎に、Ａマネー，Ｂマネー，Ｃマネーと表示が順次スクロールして（ＳＱ１５）、利用者が決済したい電子マネーのブランドの表示が表示部１０２に表示されているときに決定ボタン１０４ｂを押すと（ＳＱ１６）、表示部１０２に例えば「Ｃマネーで決済します」と表示するとともに、アンテナ部１０３が点滅する（ＳＱ１７）。
次に、利用者がアンテナ部１０３に電子マネーカードＭＣをかざすと（ＳＱ１８）、アンテナ部１０３が点滅から点灯状態となり（ＳＱ１９）、電子マネーカードＭＣの検出、認証、読込が行なわれ（ＳＱ２０）、電子マネー決済制御部１００にて当該電子マネーカードＭＣから読み出した電子マネー決済サービス、選択された商品の決済が行われる（ＳＱ２１）。
この決済が正常に行われると、電子マネー決済制御部１００から自販機主制御部２００に対して決済マネー、決済額、残高などの決済結果を送信する（ＳＱ２２）。
次に、自販機主制御部２００は、商品搬出装置２１３に対して商品搬出信号を送信し、商品搬出機装置２１３では商品取出口２０８に商品を搬出させるとともに（ＳＱ２３）、自販機主制御部２００は、メモリ２ｂに売上を記憶させる（ＳＱ２４）。さらに、一体表示器２０６にて当該電子マネーカードＭＣの残高を一定時間表示させて（ＳＱ２５）、今回の決済処理制御を終了する。
【００１３】
なお、決定ボタン１０４ｂにて決定したが、変更したい場合には、電子マネーカードＭＣをかざす前に、取消ボタン１０４ｃを押すことにより、再度、スクロールボタン１０４ａが操作可能となる。
また、残高表示に関し、表示部１０２に表示させてもよい。
次に、図４に示す電子マネー選択部１０４は、図３の変形例を示し、スクロールボタン１０４ａを一方向のみとしただけで、その他の構成は図３と同様であり、その操作手順は、図７の決済処理シーケンス図と同様の処理にて決済処理を行う。
次に、図５に示す電子マネー選択部１０４は、一方向のスクロールボタン１０４ａのみとし、決定ボタン１０４ｂ、取消ボタン１０４ｃを削除したものである。
この電子マネー選択部１０４のブランド選択について、図８の電子マネー選択に関する部分についてシーケンス図を用いて説明する。
ここで、販売待機状態となっている自動販売機２０１において、利用者により商品選択ボタン２０９が押されると、自販機主制御部２００に商品選択信号が出力される（ＳＱ３１）。
自販機主制御部２００では、電子マネー決済制御部１００に対し、選択商品データとして商品選択情報とともに現金価格、電子マネー決済サービス毎の決済価格を全て送信し（Ｓ３２）、選択された商品選択ボタン２０９のみ点灯状態を保ち、一体表示器２０６には現金価格を表示させる（ＳＱ３３）。
【００１４】
一方、電子マネー決済制御部１００では、利用者に対して決済する電子マネー決済サービスを選択下さいとの表示を表示部１０２にて表示するとともに、電子マネー選択部１０４のスクロールボタン１０４ａを点滅させるとともに、アンテナ部１０３が点滅して、電子マネー決済サービスの選択が有効であることを利用者に報知する（ＳＱ３４）。
次に、スクロールボタン１０４ａを操作して利用者がブランドを選択することになるが、スクロールボタン１０４ａを操作する毎に、Ａマネー，Ｂマネー，Ｃマネーと順次表示がスクロールし（ＳＱ３５）、利用者が決済したい電子マネーのブランドの表示が表示部１０２に表示（Ｂマネーで決済します）されているとき（ＳＱ３６）、利用者がアンテナ部１０３に電子マネーカードＭＣをかざすと（ＳＱ３７）、アンテナ部１０３が点滅から点灯状態となり（ＳＱ３８）、電子マネーカードＭＣの検出、認証、読込が行なわれ（ＳＱ３９）、電子マネー決済制御部１００にて当該電子マネーカードＭＣから読み出した電子マネー決済サービス、選択された商品の決済が行われる（ＳＱ４０）。
この決済が正常に行われると、電子マネー決済制御部１００から自販機主制御部２００に対して決済マネー、決済額、残高などの決済結果を送信する（ＳＱ４１）。
次に、自販機主制御部２００は、商品搬出装置２１３に対して商品搬出信号を送信し、商品搬出機装置２１３では商品取出口２０８に商品を搬出させるとともに（ＳＱ４２）、自販機主制御部２００は、メモリ２ｂに売上を記憶させる（ＳＱ４３）。さらに、一体表示器２０６にて当該電子マネーカードＭＣの残高を一定時間表示させて（ＳＱ４４）、今回の決済処理制御を終了する。
【００１５】
この場合に、スクロールボタン１０４ａを操作し、例えば、Ｂマネーを表示させた後、一定時間操作しないと、決済ブランドが決定するようにしてもよく、この場合には、再度、スクロールボタンを操作すると、決定した決済ブランドを取消できるようにしてもよい。
なお、スクロールボタン１０４ａを一定時間押し続けると、Ａ〜Ｃマネーが自動的にスクロールを行うようにし、再度、スクロールボタン１０４ａを押すとスクロールを停止し、決済ブランドを決定するようにしてもよく、また、決定ボタン１０４ｂを備えた電子マネー選択部１０４においては、スクロールボタン１０４ａを一定時間押し続けると、Ａ〜Ｃマネーが自動的にスクロールを行うようにし、決定ボタン１０４ｂを押すと、決済ブランドを決定するようにしてもよい。
また、スクロール表示順に関し、販売履歴あるいは設置場所、ブランド毎に決済価格が異なる場合には決済価格順に表示するなど種々の方式が考えられる。
さらに、スクロールボタン１０４ａを操作する前にマネーカードＭＣをかざすことにより、カードに搭載されている電子マネーのブランドを読出し、その読み題した電子マネーのブランドのみをスクロール表示し、その中から決済ブランドを選択するようにしてもよい。
【００１６】
またさらに、上記の決済処理においては商品先選択を例にして説明したが、商品選択前にブランド選択を行ってもよく、その場合には、先にブランド選択にみを行い、その後、商品を選択し、この時点で電子マネーカードＭＣをアンテナ部１０３にかざすものであり、この場合に、商品選択後、電子マネーカードＭＣをアンテナ部にかざす前に、電子マネー選択部１０４を操作することにより決済ブランドを変更できるようにしてもよい。
次に，残高照会について、図９の残高表示の表示処理に関するシーケンス図を用いて説明する。
ここで、販売待機状態となっている自動販売機２０１において、スクロールボタン１０４ａを操作して利用者がブランドを選択することになるが、スクロールボタン１０４ａを操作する毎に、Ａマネー，Ｂマネー，Ｃマネーと表示が順次スクロールし、利用者が残高表示させたい電子マネーのブランドの表示が表示部１０２に表示されているときに利用者がアンテナ部１０３に電子マネーカードＭＣをかざすと（ＳＱ１５）、アンテナ部１０３が点滅から点灯状態となり（ＳＱ１６）、電子マネーカードＭＣの検出、認証、読込が行なわれ（ＳＱ１７）、電子マネー決済制御部１００にて当該電子マネーカードＭＣから読み出した電子マネー決済サービス（電子マネーＡ）が電子マネー決済制御部に搭載されているか照合し（ＳＱ４４）、搭載されていれば、電子マネー決済制御部１００から自販機主制御部２００に対して残高を送信する（ＳＱ４５）。
【００１７】
次に、自販機主制御部２００は一体表示器２０６にて当該電子マネーカードＭＣの残高を一定時間表示させて（ＳＱ４６）、今回の残高照会を終了する。
なお、残高表示時に電子マネー操作表示部１０１の表示部１０２に対応する電子マネーのブランド名を表示するが、ブランド名と残高を表示することで、自販機主制御部２００に送信せず、電子マネーの決済端末側だけの処理にて表示処理が可能となる。
また、上記は残高表示の一例であり、上記表示処理の他に、種々の残高表示の方式が考えられ、以下にその処理内容について簡単に説明する。
まず、決定ボタン１０４ｂを備えている電子マネー操作表示部１０１では、スクロール表示させ、表示させたいブランドを決定ボタン１０４ｂにて決定した後、電子マネーカードＭＣをかざすことで、決定した電子マネーの残高を表示させるようにしてもよい。
次に、待機状態で電子マネーカードＭＣをアンテナ部１０３にかざすことで、電子マネーカードＭＣに搭載されている電子マネー決済サービスのブランドを読出し、その読み出した電子マネー決済サービスのブランドのみを残高とともにスクロール表示するようにしてもよいし、また、搭載されている電子マネー決済サービスのブランドを読出した後、ブランド選択を行うことで、その選択に対応した残高を表示するようにしてもよい。
【００１８】
次に、残高表示を行ってから、商品選択に移行する際には、まず、電子マネーカードＭＣをアンテナ部１０３にかざして、電子マネーカードＭＣに搭載されている電子マネー決済サービスのブランドを読出し、スクロールボタン１０４ａにてブランドを選択することにより選択された電子マネー決済サービスのブランドの残高が表示される。
その後、商品選択が行われると、搭載ブランドがスクロール表示され、再度選択することで、決済する電子マネー決済サービスのブランドが決定し、再度、電子マネーカードＭＣをアンテナ部１０３にかざして決済処理を行う。
なお、スクロール表示中に一定時間、ブランド選択が行われない場合には、残高表示を行った電子マネー決済サービスのブランドに決済ブランドが確定する。
このように、残高照会に続いての商品選択による決済処理についても、簡単な操作にて行える。
この他と残高表示の実施形態として、電子マネーカードＭＣに搭載されている複数ブランドの電子マネー決済サービスを読出し、表示部１０２あるいは一体表示器２０６の表示面積が大きい場合には、一度に全てのブランドとその残高とを合わせて表示し、全てのブランドを表示できない場合には、表示できる範囲において、スクロール表示できるようにする。
【００１９】
また、残高表示から決済に移行する場合には、ブランドを全て表示させた状態で、商品選択ボタン２０６が押されると、例えば、上記実施形態のようにＡ，Ｂ，Ｃマネーの場合、Ａ，Ｂ，Ｃマネーを全て表示させた状態で、Ａマネーを強調して表示し、現時点で電子マネーカードをかざすと、Ａマネーによる決済が行われ、スクロールボタン１０４ａを操作すると、Ｂ，Ｃマネーがそれぞれ強調表示され、順次スクロールするが、商品選択された時点で、ひとつのブランドのマネー表示に切り替わり、スクロールボタン１０４ａの操作により、スクロール表示するようにしてもよい。
なお、残高表示から決済に移行する場合について説明したが、決済のみの処理方式において、ブランドを全て表示させることが出来る場合、上記と同様に決済ブランドを選択できる。
【図面の簡単な説明】
【００２０】
【図１】本発明の実施の形態における自販機主制御部と電子マネー決済制御部との制御系を示すブロック図である。
【図２】本発明の実施の形態における自動販売機を模式的に示した正面図である。
【図３】本発明の実施の形態における電子マネー選択部を模式的に示した正面図である。
【図４】本発明の実施の形態における電子マネー選択部を模式的に示した正面図である。
【図５】本発明の実施の形態における電子マネー選択部を模式的に示した正面図である。
【図６】本発明の実施の形態における初期設定処理制御を示すシーケンス図である。
【図７】本発明の実施の形態における決済処理制御を示すシーケンス図である。
【図８】本発明の実施の形態における決済処理制御を示すシーケンス図である。
【図９】本発明の実施の形態における残高表示処理制御を示すシーケンス図である。
【符号の説明】
【００２１】
１００    電子マネー決済制御部
１０１    電子マネー操作表示部
１０２    表示部
１０３    アンテナ部
１０４    電子マネー選択部
１０４ａ  スクロールボタン
１０４ｂ  決定ボタン
１０４ｃ  取消ボタン
２００    自販機主制御部
２０１    自動販売機
２０６    一体表示器
２０９    商品選択ボタン
２１０    リモコン
２１３    商品搬出装置
ＭＣ      電子マネーカード
【図１】
0005018297.tif 000002
【図２】
0005018297.tif 000003
【図３】
0005018297.tif 000004
【図４】
0005018297.tif 000005
【図５】
0005018297.tif 000006
【図６】
0005018297.tif 000007
【図７】
0005018297.tif 000008
【図８】
0005018297.tif 000009
【図９】
0005018297.tif 000010